(57)【要約】【課題】  擬似点灯が発生する虞が少ない有機ＥＬ表示装置及び有機ＥＬ表示装置の駆動方法を提供する。【解決手段】  有機ＥＬパネル１は、複数の走査ラインＳ１〜Ｓｍ及び複数のドライブラインＤ１〜Ｄｎを有し、マトリクス状に画素Ｅ１１〜Ｅｍｎが配設されている。走査スイッチ手段２１〜２ｍによって任意の走査ラインＳ１〜Ｓｍが選択されてから次の走査ラインＳ１〜Ｓｍが選択される間に画素Ｅ１１〜Ｅｍｎに充電された電荷を放電させるリセット時間ｔ２を設ける。制御手段８は、走査スイッチ手段２１〜２ｍ及びドライブスイッチ手段７１〜７ｎの接続状態を制御して、画素Ｅ１１〜Ｅｍｎをオン／オフさせる。制御手段８は、画素Ｅ１１〜Ｅｍｎに印加されている電圧が負の状態で、選択される走査ラインＳ１〜Ｓｍを除く他の走査ラインＳ１〜Ｓｍを第二電位Ｖｂに接続させる。【選択図】図２
2006154367.tif 000002
【特許請求の範囲】
【請求項１】
複数の走査ライン及び複数のドライブラインを有しマトリクス状に画素が配設された有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、
前記制御手段は、前記画素に印加されている電圧が負の状態で、選択される前記走査ラインを除く他の前記走査ラインを前記第二電位に接続させることを特徴とする有機ＥＬ表示装置。
【請求項２】
複数の走査ライン及び複数のドライブラインを有しマトリクス状に画素が配設された有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、
前記制御手段は、前記画素に充電された電荷が完全に放電する時間よりも前記リセット時間を短くしてなることを特徴とする有機ＥＬ表示装置。
【請求項３】
複数の走査ラインを第一電位及び第二電位の一方に夫々接続すると共に、複数のドライブラインを駆動電流源またはオフ電位に夫々接続して、マトリクス状に配設された画素をオン／オフさせる有機ＥＬ表示装置の駆動方法であって、
任意の前記走査ラインが選択されてから次の前記走査ラインが選択される間に前記画素に充電された電荷を放電させるリセット時間が設けられると共に、
前記画素に印加されている電圧が負の状態で、選択される前記走査ラインを除く他の前記走査ラインを前記第二電位に接続させることを特徴とする有機ＥＬ表示装置の駆動方法。
【請求項４】
複数の走査ラインを第一電位及び第二電位の一方に夫々接続すると共に、複数のドライブラインを駆動電流源またはオフ電位に夫々接続して、マトリクス状に配設された画素をオン／オフさせる有機ＥＬ表示装置の駆動方法であって、
任意の前記走査ラインが選択されてから次の前記走査ラインが選択される間に前記画素に充電された電荷を放電させるリセット時間が設けられると共に、
前記リセット時間は、前記画素に充電された電荷が完全に放電する時間よりも短いことを特徴とする有機ＥＬ表示装置の駆動方法。
【発明の詳細な説明】
【技術分野】
【０００１】
本発明は、複数の陽極ライン及び複数の陰極ラインを有するドットマトリクス型の有機ＥＬパネルを有する有機ＥＬ表示装置及びその有機ＥＬ表示装置の駆動方法に関するものである。
【背景技術】
【０００２】
従来より、ドットマトリクス型の有機ＥＬパネル及びその駆動方法が種々提案されており、例えば特許文献１に開示されている。斯かる有機ＥＬパネルは、透光性基板上にＩＴＯ等の導電性透明膜からなる複数の陽極ライン（以下、ドライブラインと記す）をストライプ状に形成し、このドライブラインの背面に有機層を形成し、この有機層の背面にアルミニウム等の金属蒸着膜からなる複数の陰極ライン（以下、走査ラインと記す）をドライブラインに直交するように形成し、これらドライブラインと走査ラインとで前記有機層を挟持するものであり、液晶ディスプレイに代わる低消費電力，高表示品質及び薄型化が可能なディスプレイとして注目されている。
【特許文献１】特許第３３１４０４６号公報
【０００３】
有機ＥＬ表示装置は、有機ＥＬパネル１と、陰極側駆動回路２と、陽極側駆動回路３と、制御部４と、リセット回路５とを有している（図３参照）。
有機ＥＬパネル１は、画素Ｅ１１〜Ｅｍｎがマトリクス状に配設されてなるものである。画素Ｅ１１〜Ｅｍｎは、横方向に複数設けられた走査ラインＳ１〜Ｓｍと、走査ラインＳ１〜Ｓｍと直交するように複数設けられたドライブラインＤ１〜Ｄｎとの交差箇所に設けられている。画素Ｅ１１〜Ｅｍｎは、並列配置されたダイオード及びコンデンサからなる等価回路で表される（図４参照）。ただし、図面が煩雑になることを防ぐため、図３においては画素Ｅ１１〜Ｅｍｎをダイオードのみで、図６においては画素Ｅ１１〜Ｅｍｎをコンデンサのみで図示している。
【０００４】
陰極側駆動回路２は、各走査ラインＳ１〜Ｓｍに対応する複数の走査スイッチ２１〜２ｍを備えている。走査スイッチ２１〜２ｍは、制御部４からの制御信号に基づいて、各走査ラインＳ１〜Ｓｍを選択的に逆バイアス電位Ｖｂまたはアース電位（０Ｖ）に接続するものである。つまり、選択される走査ラインＳ１〜Ｓｍはアース電位になると共に、選択されない走査ラインＳ１〜Ｓｍにある画素Ｅ１１〜Ｅｍｎには、負の電圧−Ｖｂが印加される。なお、負の電圧とは、ドライブラインＤ１〜Ｄｎの電位が、走査ラインＳ１〜Ｓｍの電位よりも低い状態を示している。
【０００５】
陽極側駆動回路３は、各ドライブラインＤ１〜Ｄｎに対応して個々に駆動電流を供給する定電流源３０と、この定電流源３０からの駆動電流を各ドライブラインＤ１〜Ｄｎに接続可能とするドライブスイッチ３１〜３ｎとから構成される。各ドライブスイッチ３１〜３ｎの切換えは、制御部４からの制御信号に基づいて決定される。
【０００６】
制御部４は、陰極側駆動回路２及び陽極側駆動回路３に制御信号を夫々出力し、画素Ｅ１１〜Ｅｍｎを発光させるために必要な走査ラインＳ１〜Ｓｍ及びドライブラインＤ１〜Ｄｎに対応した走査スイッチ２１〜２ｍ及びドライブスイッチ３１〜３ｎを選択的にオン／オフさせ、所望の文字や図形等を表示する。
【０００７】
リセット回路５は、各ドライブラインＤ１〜Ｄｎに夫々接続された複数のリセットスイッチ５０からなるものである。リセットスイッチ５０は、走査スイッチ２１〜２ｍによって任意の走査ラインＳ１〜Ｓｍが選択されてから次の走査ラインＳ１〜Ｓｍが選択される間に、全てのドライブラインＤ１〜Ｄｎをアース電位に接続することにより、画素Ｅ１１〜Ｅｍｎに充電された電荷を放電させるものである。リセット回路５によって画素Ｅ１１〜Ｅｍｎに充電された電荷を放電させる時間は、「リセット時間」と称される。リセット時間においては、ドライブラインＤ１〜Ｄｎだけでなく、全ての走査ラインＳ１〜Ｓｍもアース電位に接続される。
【０００８】
図５は、画素Ｅ１１，Ｅ２１，Ｅ３１をオンさせ、画素Ｅ１２，Ｅ２２，Ｅ３２をオフさせるためにドライブラインＤ１，Ｄ２に供給される駆動電流と、走査ラインＳ１，Ｓ２，Ｓ３のオン／オフタイミングと、オン画素Ｅ１１，Ｅ２１，Ｅ３１及びオフ画素Ｅ１２，Ｅ２２，Ｅ３２に印加される電圧とを示す図である。
制御部４は、走査スイッチ２１〜２３をオン／オフさせることによって走査ラインＳ１，Ｓ２，Ｓ３を順次選択し、ドライブスイッチ３１を間歇的にオンさせることによってドライブラインＤ１に駆動電流を供給する。なお、ドライブラインＤ２に供給される駆動電流はゼロレベルになっている。
【０００９】
走査スイッチ２１〜２ｍによって任意の走査ラインＳ１〜Ｓｍが選択されてから次の走査ラインＳ１〜Ｓｍが選択される間にはリセット時間ｔ１が設けられており、このリセット時間ｔ１では全ての走査ラインＳ１〜Ｓｍ及びドライブラインＤ１〜Ｄｎがアース電位に接続される。リセット時間ｔ１は、画素Ｅ１１〜Ｅｍｎに充電された電荷を完全に放電させるために必要な時間になっている。
【発明の開示】
【発明が解決しようとする課題】
【００１０】
しかしながら、リセット時間ｔ１の終了時、即ち、非選択状態にされる走査ラインＳ１〜Ｓｍが逆バイアス電位Ｖｂに接続される時に、選択状態にされる走査ラインＳ１〜Ｓｍにおけるオフ画素に微弱な電圧Ｖｃが印加され、オフ画素が擬似点灯するという問題を有していた。例えば、走査ラインＳ２が選択される場合、走査ラインＳ２をアース電位に接続し、他の走査ラインＳ１，Ｓ３を逆バイアス電位Ｖｂに接続する時、画素Ｅ２２に画素Ｅ１２，Ｅ３２から電荷が流入し、瞬間的に電圧Ｖｃが生じるために、画素Ｅ２２が擬似点灯する（図６参照）。
本発明は、擬似点灯が発生する虞を少なくできる有機ＥＬ表示装置及び有機ＥＬ表示装置の駆動方法を提供するものである。
【課題を解決するための手段】
【００１１】
本発明は、請求項１に記載したように、複数の走査ライン及び複数のドライブラインを有しマトリクス状に画素が配設された有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、前記制御手段は、前記画素に印加されている電圧が負の状態で、選択される前記走査ラインを除く他の前記走査ラインを前記第二電位に接続させるものである。
【００１２】
また、本発明は、請求項２に記載したように、複数の走査ライン及び複数のドライブラインを有しマトリクス状に画素が配設された有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、前記制御手段は、前記画素に充電された電荷が完全に放電する時間よりも前記リセット時間を短くしてなるものである。
【００１３】
また、本発明は、請求項３に記載したように、複数の走査ラインを第一電位及び第二電位の一方に夫々接続すると共に、複数のドライブラインを駆動電流源またはオフ電位に夫々接続して、マトリクス状に配設された画素をオン／オフさせる有機ＥＬ表示装置の駆動方法であって、任意の前記走査ラインが選択されてから次の前記走査ラインが選択される間に前記画素に充電された電荷を放電させるリセット時間が設けられると共に、前記画素に印加されている電圧が負の状態で、選択される前記走査ラインを除く他の前記走査ラインを前記第二電位に接続させるものである。
【００１４】
また、本発明は、請求項４に記載したように、複数の走査ラインを第一電位及び第二電位の一方に夫々接続すると共に、複数のドライブラインを駆動電流源またはオフ電位に夫々接続して、マトリクス状に配設された画素をオン／オフさせる有機ＥＬ表示装置の駆動方法であって、任意の前記走査ラインが選択されてから次の前記走査ラインが選択される間に前記画素に充電された電荷を放電させるリセット時間が設けられると共に、前記リセット時間は、前記画素に充電された電荷が完全に放電する時間よりも短いものである。
【発明の効果】
【００１５】
負のオフセット電圧が画素に印加されている状態で走査ラインを第二電位に接続させるため、擬似点灯が発生する虞を少なくできる。
【発明を実施するための最良の形態】
【００１６】
以下、添付の図面に基づいて、本発明の一実施形態について説明する。有機ＥＬ表示装置は、有機ＥＬパネル１と、陰極側駆動回路２と、陽極側駆動回路７と、制御部８（制御手段）とから構成されている。
【００１７】
有機ＥＬパネル１は、画素Ｅ１１〜Ｅｍｎがマトリクス状に配設されてなるものである。画素Ｅ１１〜Ｅｍｎは、横方向に伸長した複数の走査ラインＳ１〜Ｓｍと、走査ラインＳ１〜Ｓｍと直交するように縦方向に伸長した複数のドライブラインＤ１〜Ｄｎとの交差箇所に設けられている。
【００１８】
陰極側駆動回路２は、各走査ラインＳ１〜Ｓｍに対応する複数の走査スイッチ２１〜２ｍ（走査スイッチ手段）を備えている。走査スイッチ２１〜２ｍは、制御部８からの制御信号に基づいて、各走査ラインＳ１〜Ｓｍを選択的に逆バイアス電位Ｖｂ（第二電位）またはアース電位（第一電位）に接続するものである。走査ラインＳ１〜Ｓｍは、走査スイッチ２１〜２ｍによってアース電位に順次接続され選択状態にされる。
【００１９】
陽極側駆動回路７は、各ドライブラインＤ１〜Ｄｎに対応して個々に駆動電流を供給する定電流源７０（駆動電流源）と、制御部８からの制御信号に基づいて各ドライブラインＤ１〜Ｄｎを選択的に定電流源７０またはアース電位（オフ電位）に接続可能なドライブスイッチ７１〜７ｎを有している。
【００２０】
制御部８は、表示コントローラからなるものであり、例えば車両の走行情報を各種センサにより入力すると、所定の演算処理を行い車速やエンジン回転数、残燃料等の各種情報を有機ＥＬパネル１で表示させるべく、陰極側駆動回路２と陽極側駆動回路７とに制御信号を夫々出力し、画素Ｅ１１〜Ｅｍｎを発光させるために必要な走査ラインＳ１〜Ｓｍ及びドライブラインＤ１〜Ｄｎに対応した走査スイッチ２１〜２ｍ及びドライブスイッチ７１〜７ｎを選択的にオン／オフさせることで有機ＥＬパネル１に所定の情報を表示させるものである。
【００２１】
図２は、画素Ｅ１１，Ｅ２１，Ｅ３１をオンさせ、画素Ｅ１２，Ｅ２２，Ｅ３２をオフさせるためにドライブラインＤ１，Ｄ２に供給される駆動電流と、走査ラインＳ１，Ｓ２，Ｓ３のオン／オフタイミング（つまり、走査スイッチ２１，２２，２３のオン／オフタイミング）と、オン画素Ｅ１１，Ｅ２１，Ｅ３１及びオフ画素Ｅ１２，Ｅ２２，Ｅ３２に印加される電圧とを示す図である。
走査スイッチ２１，２２，２３によって走査ラインＳ１，Ｓ２，Ｓ３が順次選択され、ドライブスイッチ３１によってドライブラインＤ１を定電流源７０に間歇的に接続することによって、駆動電流が供給される。
【００２２】
リセット時間ｔ２は、画素Ｅ１１〜Ｅｍｎに充電された電荷が十分に放電される時間ｔ１よりも短くなっており、リセット時間ｔ２の終了時、即ち、走査ラインＳ１〜Ｓｍが逆バイアス電位Ｖｂに接続される時の画素Ｅ１１〜Ｅｍｎの電圧（オフセット電圧）は−Ｖｄになっている。つまり、選択される走査ラインＳ１〜Ｓｍにおけるオフ画素Ｅ１２，Ｅ２２，Ｅ３２に、オフセット電圧−Ｖｄがあり、このオフセット電圧−Ｖｄによって、走査ラインＳ１〜Ｓｍが逆バイアス電位Ｖｂに接続された時のオフ画素Ｅ１２，Ｅ２２，Ｅ３２に印加される電圧Ｖｅは、従来例で説明した図５に示す電圧Ｖｃよりも小さくなる。
【００２３】
本実施形態によれば、走査ラインＳ１〜Ｓｍが逆バイアス電位Ｖｂに接続される時における画素Ｅ１１〜Ｅｍｎの電圧が負になっているため、選択された任意の走査ラインＳ１〜Ｓｍ以外の走査ラインＳ１〜Ｓｍから電荷が流入してもオーバーシュートが小さく、擬似点灯が発生する虞が少ない。なお、最適なリセット時間ｔ２は、周囲温度のよって変化するため、温度補償することが望ましい。
【図面の簡単な説明】
【００２４】
【図１】本発明の実施形態を示す有機ＥＬ表示装置の構成図。
【図２】同上実施形態を示すタイミング図。
【図３】従来例を示す有機ＥＬ表示装置の構成図。
【図４】同上従来例を示す画素の等価回路の説明図。
【図５】同上従来例を示すタイミング図。
【図６】同上従来例を示す要部拡大図。
【符号の説明】
【００２５】
１  有機ＥＬパネル
Ｅ１１〜Ｅｍｎ  画素
Ｓ１〜Ｓｍ  走査ライン
Ｄ１〜Ｄｎ  ドライブライン
２１〜２ｍ  走査スイッチ（走査スイッチ手段）
７１〜７ｎ  ドライブスイッチ（ドライブスイッチ手段）
８  制御部（制御手段）
７０  駆動電流源（定電流源）
【図１】
2006154367.tif 000003
【図２】
2006154367.tif 000004
【図３】
2006154367.tif 000005
【図４】
2006154367.tif 000006
【図５】
2006154367.tif 000007
【図６】
2006154367.tif 000008
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
複数の走査ライン及び複数のドライブラインを有しマトリクス状に画素が配設された有機ＥＬパネルと、前記走査ラインをアース電位または逆バイアス電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、
前記制御手段は、前記画素に充電された電荷が完全に放電する時間よりも前記リセット時間を短くして、前記画素に印加されている電圧が負の状態で、選択される前記走査ラインを除く他の前記走査ラインを前記逆バイアス電位に接続させることを特徴とする有機ＥＬ表示装置。
【請求項２】
複数の走査ラインをアース電位及び逆バイアス電位の一方に夫々接続すると共に、複数のドライブラインを駆動電流源またはオフ電位に夫々接続して、マトリクス状に配設された画素をオン／オフさせる有機ＥＬ表示装置の駆動方法であって、
任意の前記走査ラインが選択されてから次の前記走査ラインが選択される間に前記画素に充電された電荷を放電させるリセット時間が設けられると共に、
前記リセット時間は、前記画素に充電された電荷が完全に放電する時間よりも短く、前記画素に印加されている電圧が負の状態で、選択される前記走査ラインを除く他の前記走査ラインを前記逆バイアス電位に接続させることを特徴とする有機ＥＬ表示装置の駆動方法。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
また、本発明は、請求項１に記載したように、複数の走査ライン及び複数のドライブラインを有しマトリクス状に画素が配設された有機ＥＬパネルと、前記走査ラインをアース電位または逆バイアス電位に接続自在とする走査スイッチ手段と、前記ドライブラインを駆動電流源またはオフ電位に接続自在とするドライブスイッチ手段と、前記走査スイッチ手段によって任意の前記走査ラインが選択されてから次の前記走査ラインが選択される間に前記画素に充電された電荷を放電させるリセット時間を設けると共に、前記走査スイッチ手段及び前記ドライブスイッチ手段の接続状態を制御して前記画素をオン／オフさせる制御手段と、を有する有機ＥＬ表示装置であって、前記制御手段は、前記画素に充電された電荷が完全に放電する時間よりも前記リセット時間を短くして、前記画素に印加されている電圧が負の状態で、選択される前記走査ラインを除く他の前記走査ラインを前記逆バイアス電位に接続させるものである。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、本発明は、請求項２に記載したように、複数の走査ラインをアース電位及び逆バイアス電位の一方に夫々接続すると共に、複数のドライブラインを駆動電流源またはオフ電位に夫々接続して、マトリクス状に配設された画素をオン／オフさせる有機ＥＬ表示装置の駆動方法であって、任意の前記走査ラインが選択されてから次の前記走査ラインが選択される間に前記画素に充電された電荷を放電させるリセット時間が設けられると共に、前記リセット時間は、前記画素に充電された電荷が完全に放電する時間よりも短く、前記画素に印加されている電圧が負の状態で、選択される前記走査ラインを除く他の前記走査ラインを前記逆バイアス電位に接続させるものである。